(57)【特許請求の範囲】
【請求項１】
少なくとも映像および音声のいずれかを含んだ複数のコンテンツと前記コンテンツを選択するためのメニューとを有した映像音声情報を媒体から読み取る読取手段と、前記読取手段を前記媒体の目的のアドレスに移動させる読取制御手段と、前記映像音声情報を復号する復号手段と、前記読取制御手段に前記目的のアドレスを指示し、前記映像音声情報をコンテンツ単位に所定の順序で再生する通常再生と前記映像音声情報をコンテンツ単位にランダムな順序で再生するランダム再生とを制御する再生制御手段と、前記映像音声情報の再生に関した操作を受け付ける操作手段とを備え、前記操作手段が、前記コンテンツの映像から前記メニューの映像に切り換える操作を受け付けたとき、前記再生制御手段が、前記ランダム再生の場合は前記ランダム再生から前記通常再生に制御を切り換えるとともに、前記コンテンツの映像から前記メニューの映像に切り換えることを特徴とする映像音声情報再生装置。
【請求項２】
少なくとも映像および音声のいずれかを含んだ複数のコンテンツと前記コンテンツを選択するためのメニューとを有した映像音声情報を媒体から読み取る読取手段と、前記読取手段を前記媒体の目的のアドレスに移動させる読取制御手段と、前記映像音声情報を復号する復号手段と、前記読取制御手段に前記目的のアドレスを指示し、前記映像音声情報をコンテンツ単位に所定の順序で再生する通常再生と前記映像音声情報をコンテンツ単位にランダムな順序で再生するランダム再生とを制御する再生制御手段と、前記映像音声情報の再生に関した操作を受け付ける操作手段とを備え、前記操作手段が、前記コンテンツの映像から前記メニューの映像に切り換える操作を受け付けたとき、前記再生制御手段が、前記通常再生の場合は前記コンテンツの映像から前記メニューの映像に切り換え、前記ランダム再生の場合は前記コンテンツの映像の再生を維持することを特徴とする映像音声情報再生装置。
【請求項３】
少なくとも映像および音声のいずれかを含んだ複数のコンテンツと前記コンテンツを選択するためのメニューとを有した映像音声情報を媒体から読み取る読取手段と、前記読取手段を前記媒体の目的のアドレスに移動させる読取制御手段と、前記映像音声情報を復号する復号手段と、前記読取制御手段に前記目的のアドレスを指示し、前記映像音声情報をコンテンツ単位に所定の順序で再生する通常再生と前記映像音声情報をコンテンツ単位にランダムな順序で再生するランダム再生とを制御する再生制御手段と、前記映像音声情報の再生に関した操作を受け付ける操作手段とを備え、前記操作手段が、前記通常再生から前記ランダム再生に切り換える操作を受け付けたとき、前記再生制御手段が、前記コンテンツの映像を再生中は前記通常再生から前記ランダム再生に制御を切り換え、前記メニューの映像を再生中は前記通常再生を維持することを特徴とする映像音声情報再生装置。
【請求項４】
少なくとも映像および音声のいずれかを含んだ複数のコンテンツと前記コンテンツを選択するためのメニューとを有した映像音声情報を媒体から読み取る読取手段と、前記読取手段を前記媒体の目的のアドレスに移動させる読取制御手段と、前記映像音声情報を復号する復号手段と、前記読取制御手段に前記目的のアドレスを指示し、前記映像音声情報をコンテンツ単位に所定の順序で再生する通常再生と前記映像音声情報をコンテンツ単位にランダムな順序で再生するランダム再生とを制御する再生制御手段と、前記映像音声情報の再生に関した操作を受け付ける操作手段とを備え、前記操作手段が、前記通常再生から前記ランダム再生に切り換える操作を受け付けたとき、前記再生制御手段が、前記映像音声情報の検索禁止指示の有無を確認し、前記検索禁止指示が有るとき前記通常再生を維持し、前記検索禁止指示が無いとき前記通常再生から前記ランダム再生に制御を切り換えることを特徴とする映像音声情報再生装置。
【請求項５】
少なくとも映像および音声のいずれかを含んだ複数のコンテンツと前記コンテンツを選択するためのメニューとを有した映像音声情報を媒体から読み取る読取手段と、前記読取手段を前記媒体の目的のアドレスに移動させる読取制御手段と、前記映像音声情報を復号する復号手段と、前記読取制御手段に前記目的のアドレスを指示し、前記映像音声情報をコンテンツ単位に所定の順序で再生する通常再生と前記映像音声情報をコンテンツ単位にランダムな順序で再生するランダム再生とを制御する再生制御手段と、前記映像音声情報の再生に関した操作を受け付ける操作手段とを備え、前記再生制御手段が、前記映像音声情報の検索禁止指示の有無を確認し、前記検索禁止指示が有るとき前記ランダム再生の場合は前記ランダム再生から前記通常再生に制御を切り換えることを特徴とする映像音声情報再生装置。
【請求項６】
少なくとも映像および音声のいずれかを含んだ複数のコンテンツと前記コンテンツを選択するためのメニューとを有した映像音声情報を媒体から読み取る読取手段と、前記読取手段を前記媒体の目的のアドレスに移動させる読取制御手段と、前記映像音声情報を復号する復号手段と、前記読取制御手段に前記目的のアドレスを指示し、前記映像音声情報をコンテンツ単位に所定の順序で再生する通常再生と前記映像音声情報をコンテンツ単位にランダムな順序で再生するランダム再生とを制御する再生制御手段と、前記映像音声情報の再生に関した操作を受け付ける操作手段とを備え、前記再生制御手段が、前記映像音声情報の映像静止指示の有無を確認し、前記映像静止指示が有るとき前記ランダム再生から前記通常再生に制御を切り換えるとともに前記コンテンツの映像を所定時間静止させることを特徴とする映像音声情報再生装置。
【請求項７】
少なくとも映像および音声のいずれかを含んだ複数のコンテンツと前記コンテンツを選択するためのメニューとを有した映像音声情報を媒体から読み取る読取手段と、前記読取手段を前記媒体の目的のアドレスに移動させる読取制御手段と、前記映像音声情報を復号する復号手段と、前記読取制御手段に前記目的のアドレスを指示し、前記映像音声情報をコンテンツ単位に所定の順序で再生する通常再生と前記映像音声情報をコンテンツ単位にランダムな順序で再生するランダム再生とを制御する再生制御手段と、前記映像音声情報の再生に関した操作を受け付ける操作手段とを備え、前記再生制御手段が、前記映像音声情報の映像静止指示の有無を確認し、前記映像静止指示が有るとき、前記通常再生の場合は前記コンテンツの映像を所定時間静止し、前記ランダム再生の場合は前記映像静止指示を無効にすることを特徴とする映像音声情報再生装置。
【請求項８】
少なくとも映像および音声のいずれかを含んだ複数のコンテンツと前記コンテンツを選択するためのメニューとを有した映像音声情報を媒体から読み取る読取手段と、前記読取手段を前記媒体の目的のアドレスに移動させる読取制御手段と、前記映像音声情報を復号する復号手段と、前記読取制御手段に前記目的のアドレスを指示し、前記映像音声情報をコンテンツ単位に所定の順序で再生する通常再生と前記映像音声情報をコンテンツ単位にランダムな順序で再生するランダム再生とを制御する再生制御手段と、前記映像音声情報の再生に関した操作を受け付ける操作手段とを備え、ひとつの映像ストリームに対して複数の音声ストリームが前記映像音声情報に含まれていたとき、前記再生制御手段が、前記ランダム再生の場合は複数の前記音声ストリームの中からひとつをランダムに選択することを特徴とする映像音声情報再生装置。
【請求項９】
少なくとも映像および音声のいずれかを含んだ映像音声情報をコンテンツ単位に所定の順序で再生する通常再生から前記映像音声情報をコンテンツ単位にランダムな順序で再生するランダム再生に切り換える操作を受け付けて前記通常再生から前記ランダム再生に制御を切り換えるステップと、前記コンテンツの映像から前記コンテンツを選択するためのメニューの映像に切り換える操作を受け付けて前記コンテンツの映像から前記メニューの映像に切り換えるステップと、前記コンテンツの映像から前記メニューの映像に切り換えるとき前記ランダム再生から前記通常再生に制御を切り換えるステップとを備えたことを特徴とする映像音声情報再生方法。
【請求項１０】
少なくとも映像および音声のいずれかを含んだ映像音声情報をコンテンツ単位に所定の順序で再生する通常再生から前記映像音声情報をコンテンツ単位にランダムな順序で再生するランダム再生に切り換える操作を受け付けて前記通常再生から前記ランダム再生に制御を切り換えるステップと、前記コンテンツの映像から前記コンテンツを選択するためのメニューの映像に切り換える操作を受け付けて、前記通常再生の場合は前記コンテンツの映像から前記メニューの映像に切り換えるステップと、前記ランダム再生の場合は前記コンテンツの映像の再生を維持するステップとを備えたことを特徴とする映像音声情報再生方法。
【請求項１１】
少なくとも映像および音声のいずれかを含んだコンテンツの映像から前記コンテンツを選択するためのメニューの映像に切り換える操作を受け付けて前記コンテンツの映像から前記メニューの映像に切り換えるステップと、映像音声情報をコンテンツ単位に所定の順序で再生する通常再生から前記映像音声情報をコンテンツ単位にランダムな順序で再生するランダム再生に切り換える操作を受け付けて、前記コンテンツの映像を再生中は前記通常再生から前記ランダム再生に制御を切り換えるステップと、前記メニューの映像を再生中は前記通常再生を維持するステップとを備えたことを特徴とする映像音声情報再生方法。
【請求項１２】
少なくとも映像および音声のいずれかを含んだ映像音声情報をコンテンツ単位に所定の順序で再生する通常再生から前記映像音声情報をコンテンツ単位にランダムな順序で再生するランダム再生に切り換える操作を受け付けて、前記映像音声情報の検索禁止指示が有るとき前記通常再生を維持するステップと、前記検索禁止指示が無いとき前記通常再生から前記ランダム再生に制御を切り換えるステップとを備えたことを特徴とする映像音声情報再生方法。
【請求項１３】
少なくとも映像および音声のいずれかを含んだ映像音声情報をコンテンツ単位に所定の順序で再生する通常再生から前記映像音声情報をコンテンツ単位にランダムな順序で再生するランダム再生に切り換える操作を受け付けて前記通常再生から前記ランダム再生に制御を切り換えるステップと、前記映像音声情報の検索禁止指示が有るとき前記ランダム再生の場合は前記ランダム再生から前記通常再生に制御を切り換えるステップとを備えたことを特徴とする映像音声情報再生方法。
【請求項１４】
少なくとも映像および音声のいずれかを含んだ映像音声情報をコンテンツ単位に所定の順序で再生する通常再生から前記映像音声情報をコンテンツ単位にランダムな順序で再生するランダム再生に切り換える操作を受け付けて前記通常再生から前記ランダム再生に制御を切り換えるステップと、前記映像音声情報の映像静止指示が有るとき前記コンテンツの映像を所定時間静止するステップと、前記静止を行うとき前記ランダム再生の場合は前記ランダム再生から前記通常再生に制御を切り換えるステップとを備えたことを特徴とする映像音声情報再生方法。
【請求項１５】
少なくとも映像および音声のいずれかを含んだ映像音声情報をコンテンツ単位に所定の順序で再生する通常再生から前記映像音声情報をコンテンツ単位にランダムな順序で再生するランダム再生に切り換える操作を受け付けて前記通常再生から前記ランダム再生に制御を切り換えるステップと、前記映像音声情報の映像静止指示が有るとき、前記通常再生の場合は前記映像を所定時間静止するステップと、前記ランダム再生の場合は前記映像静止指示を無効にするステップとを備えたことを特徴とする映像音声情報再生方法。
【請求項１６】
少なくとも映像および音声のいずれかを含んだ映像音声情報をコンテンツ単位に所定の順序で再生する通常再生から前記映像音声情報をコンテンツ単位にランダムな順序で再生するランダム再生に切り換える操作を受け付けて前記通常再生から前記ランダム再生に制御を切り換えるステップと、ひとつの映像ストリームに対して複数の音声ストリームが前記映像音声情報に含まれていたとき、前記ランダム再生の場合は複数の前記音声ストリームの中からひとつをランダムに選択するステップとを備えたことを特徴とする映像音声情報再生方法。
【発明の詳細な説明】
【０００１】
【発明の属する技術分野】
本発明は、少なくとも映像および音声のいずれかを含んだ複数のコンテンツとコンテンツを選択するためのメニューとを有した映像音声情報を再生する映像音声情報再生装置および映像音声再生方法に関し、特に、映像音声情報をコンテンツ単位にランダムな順序で再生することができる映像音声情報再生装置および映像音声再生方法に関する。
【０００２】
【従来の技術】
従来の映像音声情報再生装置の構成について図２２を用いて説明する。図２２において、光ディスク１０１は、映像および音声を含んだ複数のコンテンツとコンテンツを選択するためのメニューとを有した映像音声情報と、映像音声情報の再生の制御に関する再生制御情報とを予め記録したものである。映像出力手段１１２は、映像を出力するものである。音声出力手段１１３は、音声を出力するものである。映像音声情報再生装置２２００は、光ディスク１０１に記録された映像音声情報と再生制御情報とを読み取って、映像出力手段１１２に映像信号を供給するとともに音声出力手段１１３に音声信号を供給するようになっており、読取手段１０２と、増幅手段１０３と、信号処理手段１０４と、映像音声情報記憶手段１０５と、復号手段１０６と、サーボ手段１０７と、読取制御手段１０８と、再生制御情報記憶手段２２０９と、再生制御手段２２１０と、操作手段１１１とを備える。読取手段１０２は、映像音声情報と再生制御情報とを光ディスク１０１から読み取る。増幅手段１０３は、読取手段１０２によって読み出された情報を増幅する。信号処理手段１０４は、増幅手段１０３によって増幅された情報に対し誤り訂正その他の信号処理を行う。映像音声情報記憶手段１０５は、信号処理手段１０４が出力した映像音声情報をいったん蓄える。復号手段１０６は、映像音声情報を復号し、映像出力手段１１２に映像信号を出力するとともに音声出力手段１１３に音声信号を出力する。サーボ手段１０７は、読取手段１０２の位置をフォーカス方向、トラッキング方向および半径方向に制御する。読取制御手段１０８は、読取手段１０２が光ディスク１０１の目的のアドレスに移動するようサーボ手段１０７に指示を与える。再生制御情報記憶手段２２０９は、信号処理手段１０４が出力した再生制御情報を記憶する。再生制御手段２２１０は、再生制御情報記憶手段２２０９に記憶された再生制御情報を参照して読取制御手段１０８に目的のアドレスを指示し、映像音声情報をコンテンツ単位に所定の順序で再生する通常再生と、映像音声情報をコンテンツ単位にランダムな順序で再生するランダム再生と、映像音声情報をそれぞれのコンテンツの先頭部分のみ一定時間ずつ再生するスキャン再生とを制御する。操作手段１１１は、映像音声情報の再生に関した操作を受け付けるようになっており、通常再生の開始を指示する通常再生キーと、ランダム再生の開始を指示するランダム再生キーと、スキャン再生の開始を指示するスキャン再生キーと、コンテンツの映像からメニューの映像への切り換えを指示するメニューキーと、メニューが再生されたとき選択項目を選択する選択キーと、コンテンツが複数の音声ストリームを有していたとき音声の切り換えを指示する音声切換キーとを有する。
【０００３】
なお、コンテンツは、利用者が選択可能な単位の映像音声情報であり、例えば、１曲を単位とする楽曲の映像音声情報、１項目を単位とする紹介内容の映像音声情報、および、１場面を単位とする物語の映像音声情報である。以下、コンテンツは、１曲を単位とする楽曲の映像音声情報を例に説明する。また、コンテンツは、再生の基本単位であるセルに分割されて光ディスク１０１に記録されている。セルは、ＤＶＤフォーラムが策定したＤＶＤビデオフォーマットおよびＤＶＤオーディオフォーマットの場合、ＭＰＥＧ（Moving Picture Experts Group）が策定したＭＰＥＧ−２規格におけるオブジェクトを１つ以上含む。
【０００４】
また、メニューは、利用者がコンテンツを選択するための複数の選択項目を有し、映像出力手段１１２の画面上に表示される。選択項目は、図２２に示す映像音声情報再生装置２２００において、ボタンの形状で表示されるようになっており、また、操作手段１１１の選択キーを操作することによって選択されるようになっている。なお、メニューは、ＤＶＤフォーラムが策定したＤＶＤビデオフォーマットおよびＤＶＤオーディオフォーマットの場合、一般に、セルに格納されたハイライト情報（ＨＬＩ: Highlight Information）に再生の方法が記載されるようになっている。ハイライト情報は、一般に、選択項目が選択されたときにそれぞれ実行される複数のハイライトコマンドを有する。
【０００５】
また、再生制御情報は、映像音声情報の再生順序を制御する情報、例えば、メニューを再生するという指示や、異なるコンテンツへ直接ジャンプするという指示を含む。さらに、再生制御情報は、映像音声情報の検索操作を禁止する検索禁止指示や、映像を所定時間静止する映像静止指示を含む。なお、再生制御情報は、ＤＶＤフォーラムが策定したＤＶＤビデオフォーマットおよびＤＶＤオーディオフォーマットの場合、セルの光ディスク１０１上のアドレスを記載したセル再生情報の列からなるプログラムチェーンに繋げられているか、あるいはセル自体に格納されている。
【０００６】
次に、通常再生、ランダム再生およびスキャン再生について、図２、図３および図４をそれぞれ用いて説明する。
【０００７】
図２２の映像音声情報再生装置２２００において、利用者が操作手段１１１の通常再生キーを押したとき、再生制御手段２２１０は、例えば図２に示すように通常の再生を制御する。図２において、光ディスク１０１には、第１曲の映像音声情報２１１、第２曲の映像音声情報２１２、第３曲の映像音声情報２１３、第４曲の映像音声情報２１４、第５曲の映像音声情報２１５、第６曲の映像音声情報２１６、および、第７曲の映像音声情報２１７が記録されおり、第１の移動２２１、第２の移動２２２、第３の移動２２３、第４の移動２２４、第５の移動２２５、第６の移動２２６、および、第７の移動２２７の順で、図２２の読取手段１０２が光ディスク１０１に近接して移動する。したがって、第１曲の映像音声情報２１１、第２曲の映像音声情報２１２、第３曲の映像音声情報２１３、第４曲の映像音声情報２１４、第５曲の映像音声情報２１５、第６曲の映像音声情報２１６、および、第７曲の映像音声情報２１７の順で再生が行われる。なお、再生する曲の順序は図２に示した順序に限るものではなく、利用者が操作手段１１１によって曲順を指定した場合には、利用者が指定した所定の曲順で再生されるようになっている。
【０００８】
また、図２２の映像音声情報再生装置２２００において、利用者が操作手段１１１のランダム再生キーを押したとき、再生制御手段２２１０は、例えば図３に示すようにランダム再生を制御する。図３において、第１の移動３２１、第２の移動３２２、第３の移動３２３、第４の移動３２４、第５の移動３２５、第６の移動３２６、および、第７の移動３２７の順で、図２２の読取手段１０２が光ディスク１０１に近接して移動する。なお、実線で表された第１の移動３２１、第３の移動３２３、第５の移動３２５、および、第７の移動３２７は、それぞれの曲の映像音声情報を再生している状態（再生状態という）での移動である。また、破線で表された第２の移動３２２、第４の移動３２４、および、第６の移動３２６は、それぞれ次曲に遷移する状態（アクセス状態という）での移動である。したがって、第４曲の映像音声情報２１４、第２曲の映像音声情報２１２、第５曲の映像音声情報２１５、および、第７曲の映像音声情報２１７の順で再生が行われる。なお、再生する曲の順序は図３に示した順序に限るものではなく、曲単位にランダムな順序で再生を行うようになっている。
【０００９】
また、図２２の映像音声情報再生装置２２００において、利用者が操作手段１１１のスキャン再生キーを押したとき、再生制御手段２２１０は、例えば図４に示すようにスキャン再生を制御する。図４において、第１の移動４２１、第２の移動４２２、第３の移動４２３、第４の移動４２４、第５の移動４２５、第６の移動４２６、および、第７の移動４２７の順で、図２２の読取手段１０２が光ディスク１０１に近接して移動する。なお、実線で表された第１の移動４２１、第３の移動４２３、第５の移動４２５、および、第７の移動４２７は、それぞれの曲の映像音声情報を再生している状態（再生状態という）での移動であり、曲単位にそれぞれの曲の先頭部分のみ一定時間ずつ映像音声情報を再生する。また、破線で表された第２の移動４２２、第４の移動４２４、および、第６の移動４２６は、次曲に遷移する状態（アクセス状態という）での移動である。したがって、第１曲の映像音声情報２１１、第２曲の映像音声情報２１２、第３曲の映像音声情報２１３、および、第４曲の映像音声情報２１４の順で、曲単位にそれぞれの曲の先頭部分のみ一定時間ずつ再生が行われる。なお、図４において、第７の移動４２７まで行い第４曲の映像音声２１４まで再生しているが、実際は、第５曲の映像音声情報２１５、第６曲の映像音声２１６および第７曲の映像音声情報２１７についても一定時間ずつ再生を行うようになっている。
【００１０】
次に、光ディスク１０１に記録された情報の構成について詳細に説明する。
【００１１】
図５は、ＤＶＤフォーラムが策定したＤＶＤビデオフォーマットで記録された情報の例を示す図である。図５において、プログラムチェーン（ＰＧＣ: Program Chain）５２０は、セル５１１、５１２、５１３、５１４、５１５および５１６の光ディスクにおけるアドレスをそれぞれ示すとともに、配列によってセルの再生順序を指定した複数のセル再生情報（Cell Playback Information）５２１、５２２、５２３、５２４、５２５および５２６と、プログラムチェーンの先頭で実行されるプリコマンド（Pre-Command）５３１と、目標のセルに到達したとき実行されるセルコマンド（Cell-Command）５３２と、プログラムチェーンの最後で実行されるポストコマンド（Post-Command）５３３と、次のプログラムチェーンを示すリンク関係情報（Link PGC）５４０からなる。
【００１２】
図５のプログラムチェーン５２０が、図２２の再生制御情報記憶手段２２０９に記憶される際、図６に示すように、プリコマンド５３１とセルコマンド５３２とポストコマンド５３３とが、コマンド格納領域６０１に格納され、セルの開始アドレスおよび終了アドレスを記載した複数のセル再生情報５２１、５２２、５２３、５２４、５２５および５２６が、セル再生情報格納領域６０２に格納され、リンク関係情報５４０が、リンク関係情報格納領域６０３に格納されるようになっている。
【００１３】
また、ＤＶＤビデオフォーマットにおけるセルの例を図７に示す。図７において、あるひとつのセルは、コンテンツの映像情報が圧縮して記録されたビデオパック７１１、７１５、７１７と、コンテンツを選択するためのメニューの映像情報、例えば画面上に表示するボタンの形状、が圧縮して記録されたサブピクチャーパック７１２、７１６と、コンテンツの映像情報と同期して再生するコンテンツの音声情報が圧縮して記録されたオーディオパック７１３と、プレゼンテーションの制御に関するプレゼンテーション制御情報（ＰＣＩ: Presentation Control Information）７２１およびデータサーチに関するデータ検索情報（ＤＳＩ: Data Search Information）７２２を含むナビゲーションパック７１４、７１８とから構成される。なお、プレゼンテーション制御情報７２１は、メニューが再生されその選択項目が選択されたときにそれぞれ実行される複数のハイライトコマンド７４１、７４２、７４３、７４４および７４５を有したハイライト情報７３１と、その他のコントロール情報７３２とを含む。
【００１４】
図８は、ＤＶＤフォーラムが策定したＤＶＤオーディオフォーマットで記録された情報の例を示す図である。図８において、プログラムチェーン（ＰＧＣ: Program Chain）８２０は、セル８１１、８１２、８１３、８１４、８１５および８１６の光ディスクにおけるアドレスをそれぞれ示すとともに、配列によってセルの再生順序を指定した複数のセル再生情報（Cell Playback Information）８２１、８２２、８２３、８２４、８２５および８２６からなる。リターンメニューフラグ８３０は、選択項目を有したメニューの再生を行うか否かを指示する情報である。
【００１５】
図８のプログラムチェーン８２０が、図２２の再生制御情報記憶手段２２０９に記憶される際、図９に示すように、セルの開始アドレスおよび終了アドレスを記載した複数のセル再生情報８２１、８２２、８２３、８２４、８２５および８２６が、セル再生情報格納領域９０２に格納される。また、リターンメニューフラグ８３０が、リターンメニューフラグ格納領域９０１に格納されるようになっている。なお、リターンメニューフラグ８３０は、グループ毎に、第１グループのリターンメニューフラグ９３１、第２グループのリターンメニューフラグ９３２および第３グループのリターンメニューフラグ９３３に分けて格納されるようになっている。
【００１６】
また、ＤＶＤオーディオフォーマットにおけるセルの例を図１０に示す。図１０において、静止画情報のセル１００１と音声情報のセル１００２とは、光ディスク上の異なる領域に記録されている。静止画情報のセル１００１は、静止画情報が圧縮して記録されたビデオパック１０１１と、コンテンツを選択するためのメニューの映像情報、例えば画面上に表示するボタンの形状、が圧縮して記録されたサブピクチャーパック１０１２と、ハイライト情報１０３１およびその他のコントロール情報１０３２を含むハイライトパック１０１３とから構成される。ハイライト情報１０３１は、メニューが再生され選択項目が選択されたときにそれぞれ実行される複数のハイライトコマンド１０４１、１０４２、１０４３、１０４４および１０４５を有する。
【００１７】
次に、従来の映像音声情報再生装置２２００の再生制御手段２２１０が行う再生制御処理について、特に図２３および図２４を用いて詳細に説明する。図２３は、従来の映像音声情報再生装置における再生制御処理を示すフローチャートである。図２４は、その再生制御処理におけるキー入力イベント処理（図２３の２３０３）の詳細を示すフローチャートである。
【００１８】
まず、図５のＤＶＤビデオフォーマットで記録された映像音声情報を再生する場合について説明する。
【００１９】
図２３において、まず、再生制御情報を取得する（２３０１）。ここで、図５のプリコマンド５３１と、セルコマンド５３２と、ポストコマンド５３３とが、図２２の再生制御情報記憶手段２２０９に記憶される。また、図７のナビゲーションパック７１４に格納されていた、ハイライト情報、検索禁止指示および映像静止指示等の再生制御情報が図２２の再生制御情報記憶手段２２０９に記憶される。
【００２０】
次に、イベントの発生を待つ（２３０２）。
【００２１】
利用者が図２２の操作手段１１１においてランダム再生に制御を切り換えるランダム再生キーを押した場合、操作手段１１１からランダム再生キーの押下が通知され、キーの種別に対応した処理を実行する（２３０３）。図２４において、ランダム再生キーに対応した処理に分岐し（２４０１）、ランダム再生をオンの状態にし（２４１１）、スキャン再生をオフの状態にする（２４１２）。
【００２２】
また、利用者が図２２の操作手段１１１においてスキャン再生に制御を切り換えるスキャン再生キーを押した場合、操作手段１１１からスキャン再生キーの押下が通知され、キーの種別に対応した処理を実行する（２３０３）。図２４において、スキャン再生キーに対応した処理に分岐し、スキャン再生をオンの状態にし（２４２１）、ランダム再生をオフの状態にする（２４２２）。
【００２３】
また、利用者が図２２の操作手段１１１において通常再生に制御を切り換える通常再生キーを押した場合、操作手段１１１から通常再生キーの押下が通知され、キーの種別に対応した処理を実行する（２３０３）。図２４において、通常再生キーに対応した処理に分岐し、ランダム再生をオフの状態にし（２４３１）、スキャン再生をオフの状態にする（２４３２）。
【００２４】
また、プログラムチェーン先頭のセル５１１の再生を開始する直前にプログラムチェーン先頭イベントが発生し、プリコマンド５３１に従った処理を実行する（２３１１）。
【００２５】
また、図５の第１のセル再生情報５２１、第２のセル再生情報５２２および第３のセル再生情報５２３に基づいて、第１のセル５１１、第２のセル５１２、第３のセル５１３の順にそれぞれ映像音声情報の再生が行われ、目標セルに到達した時点で、目標セル到達イベントが発生する。目標セル到達イベントが発生したとき、映像音声情報の再生を停止し、セルコマンド５３２に従った処理を実行し、映像音声情報の再生を再開する（２３２１）。
【００２６】
また、図５の第４のセル再生情報５２４、第５のセル再生情報５２５および第６のセル再生情報５２６に基づいて、第４のセル５１４、第５のセル５１５、第６のセル５１６の順にそれぞれ映像音声情報の再生が行われ、第６のセル５１６の再生が終了した時点で、プログラムチェーン終了イベントが発生する。プログラムチェーン終了イベントが発生したとき、ポストコマンドに従った処理を実行し（２３３１）、図５のリンク関係情報５４０を参照して次のプログラムチェーンを特定し、次のプログラムチェーンに関する情報を取得する（２３３２）。
【００２７】
また、利用者が図２２の操作手段１１１のメニューキーによって、本編であるコンテンツの映像からメニューの映像に切り換える操作を行った場合、図２２の操作手段１１１からメニューキーの操作が通知されて、キーの種別に対応した処理を実行する（２３０３）。図２４において、メニューキーに対応した処理に分岐し、本編であるコンテンツの映像からメニューの映像に切り換える（２４５１）。
【００２８】
また、利用者が図２２の操作手段１１１の選択キーによってメニュー上の選択項目を選択した場合、図２２の操作手段１１１から選択キーの操作が通知されて、キーの種別に対応した処理を実行する（２３０３）。図２４において、選択キーに対応した処理に分岐し、ハイライト情報があるか否か判定し（２４４１）、ハイライト情報があった場合、ハイライト情報のハイライトコマンドに従った処理を実行する（２４４２）。
【００２９】
また、利用者が図２２の操作手段１１１の音声切換キーによって、同一コンテンツ内の複数の音声ストリームのうち再生する音声ストリームを切り換える操作を行った場合、図２２の操作手段１１１から音声切換キーの操作が通知されて、キーの種別に対応した処理を実行する（２３０３）。図２４において、音声切換キーに対応した処理に分岐し、再生する音声ストリームを切り換える（２４６１）。
【００３０】
また、曲の再生が終了した時点で、１曲毎に曲終了イベントが発生し、ランダム再生であるか否かを判定する（２３０５）。ランダム再生である場合、次の曲をランダムに選曲する（２３０６）。詳細には、図１３において、乱数を発生し（１３０１）、光ディスクの範囲内であるか否かを判定し（１３０２）、ランダムに選曲した曲の先頭に目的アドレスを変更する（１３０３）。
【００３１】
また、所定の単位時間（例えば１秒）が経過する毎に単位時間経過イベントが発生し、スキャン再生であるか否かを判定する（２３０７）。スキャン再生である場合、次の曲をスキャンして選曲する（２３０８）。詳細には、図１４において、曲の再生開始から予め決められた一定時間（例えば１０秒）が経過したか否か判定し（１４０１）、一定時間経過した場合、スキャンして新たに選曲した曲の先頭に目的アドレスを変更する（１４０２）。
【００３２】
次に、図８のＤＶＤオーディオフォーマットで記録された情報を再生する場合について説明する。なお、ＤＶＤビデオフォーマットで記録された情報を再生する場合と同じステップについては、詳細な説明を省略する。
【００３３】
ＤＶＤオーディオフォーマットの場合、図２３の情報取得のステップ（２３０１、２３０４および２３３２）において、図８のリターンメニューフラグ８３０が図２２の再生制御情報記憶手段２２０９に記憶される。なお、ＤＶＤビデオフォーマットと異なり、プログラムチェーンにプリコマンド、セルコマンドおよびポストコマンドは存在しない。したがって、プログラム先頭イベントは何も行わない。また、目標セル到達イベントは発生しない。また、プログラムチェーン終了イベントが発生してもポストコマンドの処理は行わず、代わりに、リターンメニューフラグに従った処理を行う。
【００３４】
プログラムチェーン終了イベントが発生したとき、図８のリターンメニューフラグ８３０を参照してリターンメニューフラグがセットされている場合には、戻りのメニューを再生し（２３３１）、次のプログラムチェーンに関する情報を取得する（２３３２）。
【００３５】
以上説明したように、従来の映像音声情報再生装置は、利用者によって操作手段１１１のランダム再生キーが操作されたとき、映像音声情報をコンテンツ単位に所定の順序で再生する通常再生から、映像音声情報をコンテンツ単位にランダムな順序で再生するランダム再生に制御を切り換えるようになっていた。また、従来の映像音声情報再生装置は、利用者によって操作手段１１１のスキャン再生キーが操作されたとき、映像音声情報をコンテンツ単位に所定の順序で再生する通常再生から、映像音声情報をそれぞれのコンテンツの先頭部分のみ一定時間ずつ再生するスキャン再生に制御を切り換えるようになっていた。
【００３６】
さらに、従来の映像音声情報再生装置は、利用者によって操作手段１１１のメニューキーが操作されたとき、本編であるコンテンツの映像から、コンテンツを選択するためのメニューの映像に切り換え、さらに、利用者によって操作手段１１１の選択キーが操作されたとき、利用者が選択したコンテンツを再生するようになっていた。
【００３７】
さらに、従来の映像音声情報再生装置は、所定のコンテンツの映像を所定時間静止するよう指示した映像静止指示が光ディスク１０１に記録されていたとき、その所定のコンテンツの映像を所定時間静止させて再生するようになっていた。
【００３８】
さらに、従来の映像音声情報再生装置は、映像音声情報が複数の音声ストリームを有し、利用者によって操作手段１１１の音声切換キーが操作されたとき、所望の音声ストリームを再生するようになっていた。
【００３９】
【発明が解決しようとする課題】
しかしながら、従来の映像音声情報再生装置には以下に示すような問題があった。
【００４０】
第１に、ランダム再生中に利用者がメニューキーを操作した場合、コンテンツの映像からメニューの映像に切り換わり、一般にメニューの映像においてコンテンツの再生が停止してしまい、また、メニューにおいて利用者はコンテンツを選択しなければならず、ランダム再生が解除されていないにも関わらずランダムに再生が行われないという再生状態の不一致が発生する問題があった。
【００４１】
第２に、利用者がランダム再生キーを操作した場合、シーケンシャルに連続して再生することしかできない映像音声情報においては、ランダム再生が解除されていないにも関わらずランダムに再生が行われないという再生状態の不一致が発生する問題があった。
【００４２】
第３に、利用者がランダム再生キーを操作した場合、映像静止指示が有る映像音声情報においては、一般に利用者が何らかのキー操作を行わない限り所定時間映像が静止するので、ランダム再生が解除されていないにも関わらずランダム再生が行われないという再生状態の不一致が発生する問題があった。
【００４３】
第４に、利用者がランダム再生キーを操作した場合、切換可能な複数の音声ストリームを有した映像音声情報においては、切換可能な複数の音声ストリームがあるにも関わらず音声ストリームがランダムに再生されないという再生状態の不一致が発生する問題があった。
【００４４】
本発明は、このような問題を解決するためになされたもので、再生状態の不一致を解消し、利用者に違和感を与えることなくランダム再生をすることができる映像音声情報再生装置および映像音声情報再生方法を提供する。
【００４５】
【課題を解決するための手段】
本発明の映像音声情報再生装置は、少なくとも映像および音声のいずれかを含んだ複数のコンテンツと前記コンテンツを選択するためのメニューとを有した映像音声情報を媒体から読み取る読取手段と、前記読取手段を前記媒体の目的のアドレスに移動させる読取制御手段と、前記映像音声情報を復号する復号手段と、前記読取制御手段に前記目的のアドレスを指示し、前記映像音声情報をコンテンツ単位に所定の順序で再生する通常再生と前記映像音声情報をコンテンツ単位にランダムな順序で再生するランダム再生とを制御する再生制御手段と、前記映像音声情報の再生に関した操作を受け付ける操作手段とを備え、前記操作手段が、前記コンテンツの映像から前記メニューの映像に切り換える操作を受け付けたとき、前記再生制御手段が、前記ランダム再生の場合は前記ランダム再生から前記通常再生に制御を切り換えるとともに、前記コンテンツの映像から前記メニューの映像に切り換える構成を有している。
【００４６】
この構成により、コンテンツの映像からメニューの映像に切り換わったときにコンテンツの再生が停止するような場合であっても、ランダム再生が解除されて再生状態の不一致が解消され、したがって利用者に違和感を与えないようにすることができる。
【００４７】
本発明の映像音声情報再生装置は、少なくとも映像および音声のいずれかを含んだ複数のコンテンツと前記コンテンツを選択するためのメニューとを有した映像音声情報を媒体から読み取る読取手段と、前記読取手段を前記媒体の目的のアドレスに移動させる読取制御手段と、前記映像音声情報を復号する復号手段と、前記読取制御手段に前記目的のアドレスを指示し、前記映像音声情報をコンテンツ単位に所定の順序で再生する通常再生と前記映像音声情報をコンテンツ単位にランダムな順序で再生するランダム再生とを制御する再生制御手段と、前記映像音声情報の再生に関した操作を受け付ける操作手段とを備え、前記操作手段が、前記コンテンツの映像から前記メニューの映像に切り換える操作を受け付けたとき、前記再生制御手段が、前記通常再生の場合は前記コンテンツの映像から前記メニューの映像に切り換え、前記ランダム再生の場合は前記コンテンツの映像の再生を維持する構成を有している。
【００４８】
この構成により、ランダム再生中にコンテンツの映像からメニューの映像に切り換わることがなく、したがって再生状態の不一致が解消され、利用者に違和感を与えないようにすることができる。
【００４９】
本発明の映像音声情報再生装置は、少なくとも映像および音声のいずれかを含んだ複数のコンテンツと前記コンテンツを選択するためのメニューとを有した映像音声情報を媒体から読み取る読取手段と、前記読取手段を前記媒体の目的のアドレスに移動させる読取制御手段と、前記映像音声情報を復号する復号手段と、前記読取制御手段に前記目的のアドレスを指示し、前記映像音声情報をコンテンツ単位に所定の順序で再生する通常再生と前記映像音声情報をコンテンツ単位にランダムな順序で再生するランダム再生とを制御する再生制御手段と、前記映像音声情報の再生に関した操作を受け付ける操作手段とを備え、前記操作手段が、前記通常再生から前記ランダム再生に切り換える操作を受け付けたとき、前記再生制御手段が、前記コンテンツの映像を再生中は前記通常再生から前記ランダム再生に制御を切り換え、前記メニューの映像を再生中は前記通常再生を維持する構成を有している。
【００５０】
この構成により、メニュー再生中に通常再生からランダム再生に制御が切り換わることがなく、したがって再生状態の不一致が解消され、利用者に違和感を与えないようにすることができる。
【００５１】
本発明の映像音声情報再生装置は、少なくとも映像および音声のいずれかを含んだ複数のコンテンツと前記コンテンツを選択するためのメニューとを有した映像音声情報を媒体から読み取る読取手段と、前記読取手段を前記媒体の目的のアドレスに移動させる読取制御手段と、前記映像音声情報を復号する復号手段と、前記読取制御手段に前記目的のアドレスを指示し、前記映像音声情報をコンテンツ単位に所定の順序で再生する通常再生と前記映像音声情報をコンテンツ単位にランダムな順序で再生するランダム再生とを制御する再生制御手段と、前記映像音声情報の再生に関した操作を受け付ける操作手段とを備え、前記操作手段が、前記通常再生から前記ランダム再生に切り換える操作を受け付けたとき、前記再生制御手段が、前記映像音声情報の検索禁止指示の有無を確認し、前記検索禁止指示が有るとき前記通常再生を維持し、前記検索禁止指示が無いとき前記通常再生から前記ランダム再生に制御を切り換える構成を有している。
【００５２】
この構成により、検索禁止指示が有るときランダム再生に切り換わることがなく、したがって、シーケンシャルに連続して再生することしかできない映像音声情報においてランダム再生に切り換わってしまうという再生状態の不一致が解消され、利用者に違和感を与えないようにすることができる。
【００５３】
本発明の映像音声情報再生装置は、少なくとも映像および音声のいずれかを含んだ複数のコンテンツと前記コンテンツを選択するためのメニューとを有した映像音声情報を媒体から読み取る読取手段と、前記読取手段を前記媒体の目的のアドレスに移動させる読取制御手段と、前記映像音声情報を復号する復号手段と、前記読取制御手段に前記目的のアドレスを指示し、前記映像音声情報をコンテンツ単位に所定の順序で再生する通常再生と前記映像音声情報をコンテンツ単位にランダムな順序で再生するランダム再生とを制御する再生制御手段と、前記映像音声情報の再生に関した操作を受け付ける操作手段とを備え、前記再生制御手段が、前記映像音声情報の検索禁止指示の有無を確認し、前記検索禁止指示が有るとき前記ランダム再生の場合は前記ランダム再生から前記通常再生に制御を切り換える構成を有している。
【００５４】
この構成により、検索禁止指示が有るとき、シーケンシャルに連続して再生することしかできない映像音声情報においてランダム再生の状態が継続されるという再生状態の不一致が解消され、利用者に違和感を与えないようにすることができる。
【００５５】
本発明の映像音声情報再生装置は、少なくとも映像および音声のいずれかを含んだ複数のコンテンツと前記コンテンツを選択するためのメニューとを有した映像音声情報を媒体から読み取る読取手段と、前記読取手段を前記媒体の目的のアドレスに移動させる読取制御手段と、前記映像音声情報を復号する復号手段と、前記読取制御手段に前記目的のアドレスを指示し、前記映像音声情報をコンテンツ単位に所定の順序で再生する通常再生と前記映像音声情報をコンテンツ単位にランダムな順序で再生するランダム再生とを制御する再生制御手段と、前記映像音声情報の再生に関した操作を受け付ける操作手段とを備え、前記再生制御手段が、前記映像音声情報の映像静止指示の有無を確認し、前記映像静止指示が有るとき前記ランダム再生から前記通常再生に制御を切り換えるとともに前記コンテンツの映像を所定時間静止させる構成を有している。
【００５６】
この構成により、映像が静止されるときランダム再生が解除され、したがって、映像が静止したままランダム再生が行われないという再生状態の不一致が解消され、利用者に違和感を与えないようにすることができる。
【００５７】
本発明の映像音声情報再生装置は、少なくとも映像および音声のいずれかを含んだ複数のコンテンツと前記コンテンツを選択するためのメニューとを有した映像音声情報を媒体から読み取る読取手段と、前記読取手段を前記媒体の目的のアドレスに移動させる読取制御手段と、前記映像音声情報を復号する復号手段と、前記読取制御手段に前記目的のアドレスを指示し、前記映像音声情報をコンテンツ単位に所定の順序で再生する通常再生と前記映像音声情報をコンテンツ単位にランダムな順序で再生するランダム再生とを制御する再生制御手段と、前記映像音声情報の再生に関した操作を受け付ける操作手段とを備え、前記再生制御手段が、前記映像音声情報の映像静止指示の有無を確認し、前記映像静止指示が有るとき、前記通常再生の場合は前記コンテンツの映像を所定時間静止し、前記ランダム再生の場合は前記映像静止指示を無効にする構成を有している。
【００５８】
この構成により、映像が静止したまま曲のランダム再生が行われないという再生状態の不一致が解消され、利用者に違和感を与えないようにすることができる。
【００５９】
本発明の映像音声情報再生装置は、少なくとも映像および音声のいずれかを含んだ複数のコンテンツと前記コンテンツを選択するためのメニューとを有した映像音声情報を媒体から読み取る読取手段と、前記読取手段を前記媒体の目的のアドレスに移動させる読取制御手段と、前記映像音声情報を復号する復号手段と、前記読取制御手段に前記目的のアドレスを指示し、前記映像音声情報をコンテンツ単位に所定の順序で再生する通常再生と前記映像音声情報をコンテンツ単位にランダムな順序で再生するランダム再生とを制御する再生制御手段と、前記映像音声情報の再生に関した操作を受け付ける操作手段とを備え、前記映像音声情報が、ひとつの映像ストリームに対して複数の音声ストリームを有していたとき、前記再生制御手段が、前記ランダム再生の場合は複数の前記音声ストリームの中からひとつをランダムに選択する構成を有している。
【００６０】
この構成により、映像音声情報がひとつの映像ストリームに対して複数の音声ストリームを有している場合であっても音声ストリームがランダムに再生され、したがって、ランダム再生であるにも関わらず音声ストリームがランダムに選択されないという再生状態の不一致が解消され、利用者に違和感を与えないようにすることができる。
【００６１】
本発明の映像音声情報再生方法は、少なくとも映像および音声のいずれかを含んだ映像音声情報をコンテンツ単位に所定の順序で再生する通常再生から前記映像音声情報をコンテンツ単位にランダムな順序で再生するランダム再生に切り換える操作を受け付けて前記通常再生から前記ランダム再生に制御を切り換えるステップと、前記コンテンツの映像から前記コンテンツを選択するためのメニューの映像に切り換える操作を受け付けて前記コンテンツの映像から前記メニューの映像に切り換えるステップと、前記コンテンツの映像から前記メニューの映像に切り換えるとき前記ランダム再生から前記通常再生に制御を切り換えるステップとを備えた構成を有している。
【００６２】
この構成により、コンテンツの映像からメニューの映像に切り換わったときにコンテンツの再生が停止するような場合であっても、ランダム再生が解除されて再生状態の不一致が解消され、したがって利用者に違和感を与えないようにすることができる。
【００６３】
本発明の映像音声情報再生方法は、少なくとも映像および音声のいずれかを含んだ映像音声情報をコンテンツ単位に所定の順序で再生する通常再生から前記映像音声情報をコンテンツ単位にランダムな順序で再生するランダム再生に切り換える操作を受け付けて前記通常再生から前記ランダム再生に制御を切り換えるステップと、前記コンテンツの映像から前記コンテンツを選択するためのメニューの映像に切り換える操作を受け付けて、前記通常再生の場合は前記コンテンツの映像から前記メニューの映像に切り換えるステップと、前記ランダム再生の場合は前記コンテンツの映像の再生を維持するステップとを備えた構成を有している。
【００６４】
この構成により、ランダム再生中にコンテンツの映像からメニューの映像に切り換わることがなく、したがって再生状態の不一致が解消され、利用者に違和感を与えないようにすることができる。
【００６５】
本発明の映像音声情報再生方法は、少なくとも映像および音声のいずれかを含んだコンテンツの映像から前記コンテンツを選択するためのメニューの映像に切り換える操作を受け付けて前記コンテンツの映像から前記メニューの映像に切り換えるステップと、映像音声情報をコンテンツ単位に所定の順序で再生する通常再生から前記映像音声情報をコンテンツ単位にランダムな順序で再生するランダム再生に切り換える操作を受け付けて、前記コンテンツの映像を再生中は前記通常再生から前記ランダム再生に制御を切り換えるステップと、前記メニューの映像を再生中は前記通常再生を維持するステップとを備えた構成を有している。
【００６６】
この構成により、メニュー再生中に通常再生からランダム再生に制御が切り換わることがなく、したがって再生状態の不一致が解消され、利用者に違和感を与えないようにすることができる。
【００６７】
本発明の映像音声情報再生方法は、少なくとも映像および音声のいずれかを含んだ映像音声情報をコンテンツ単位に所定の順序で再生する通常再生から前記映像音声情報をコンテンツ単位にランダムな順序で再生するランダム再生に切り換える操作を受け付けて、前記映像音声情報の検索禁止指示が有るとき前記通常再生を維持するステップと、前記検索禁止指示が無いとき前記通常再生から前記ランダム再生に制御を切り換えるステップとを備えた構成を有している。
【００６８】
この構成により、検索禁止指示が有るときランダム再生に切り換わることがなく、したがって、シーケンシャルに連続して再生することしかできない映像音声情報においてランダム再生に切り換わってしまうという再生状態の不一致が解消され、利用者に違和感を与えないようにすることができる。
【００６９】
本発明の映像音声情報再生方法は、少なくとも映像および音声のいずれかを含んだ映像音声情報をコンテンツ単位に所定の順序で再生する通常再生から前記映像音声情報をコンテンツ単位にランダムな順序で再生するランダム再生に切り換える操作を受け付けて前記通常再生から前記ランダム再生に制御を切り換えるステップと、前記映像音声情報の検索禁止指示が有るとき前記ランダム再生の場合は前記ランダム再生から前記通常再生に制御を切り換えるステップとを備えた構成を有している。
【００７０】
この構成により、検索禁止指示が有るとき、シーケンシャルに連続して再生することしかできない映像音声情報においてランダム再生の状態が継続されるという再生状態の不一致が解消され、利用者に違和感を与えないようにすることができる。
【００７１】
本発明の映像音声情報再生方法は、少なくとも映像および音声のいずれかを含んだ映像音声情報をコンテンツ単位に所定の順序で再生する通常再生から前記映像音声情報をコンテンツ単位にランダムな順序で再生するランダム再生に切り換える操作を受け付けて前記通常再生から前記ランダム再生に制御を切り換えるステップと、前記映像音声情報の映像静止指示が有るとき前記コンテンツの映像を所定時間静止するステップと、前記静止を行うとき前記ランダム再生の場合は前記ランダム再生から前記通常再生に制御を切り換えるステップとを備えた構成を有している。
【００７２】
この構成により、映像が静止されるときランダム再生が解除され、したがって、映像が静止したままランダム再生が行われないという再生状態の不一致が解消され、利用者に違和感を与えないようにすることができる。
【００７３】
本発明の映像音声情報再生方法は、少なくとも映像および音声のいずれかを含んだ映像音声情報をコンテンツ単位に所定の順序で再生する通常再生から前記映像音声情報をコンテンツ単位にランダムな順序で再生するランダム再生に切り換える操作を受け付けて前記通常再生から前記ランダム再生に制御を切り換えるステップと、前記映像音声情報の映像静止指示が有るとき、前記通常再生の場合は前記映像を所定時間静止するステップと、前記ランダム再生の場合は前記映像静止指示を無効にするステップとを備えた構成を有している。
【００７４】
この構成により、映像が静止したまま曲のランダム再生が行われないという再生状態の不一致が解消され、利用者に違和感を与えないようにすることができる。
【００７５】
本発明の映像音声情報再生方法は、少なくとも映像および音声のいずれかを含んだ映像音声情報をコンテンツ単位に所定の順序で再生する通常再生から前記映像音声情報をコンテンツ単位にランダムな順序で再生するランダム再生に切り換える操作を受け付けて前記通常再生から前記ランダム再生に制御を切り換えるステップと、ひとつの映像ストリームに対して複数の音声ストリームが前記映像音声情報に含まれていたとき、前記ランダム再生の場合は複数の前記音声ストリームの中からひとつをランダムに選択するステップとを備えた構成を有している。
【００７６】
この構成により、映像音声情報がひとつの映像ストリームに対して複数の音声ストリームを有している場合であっても音声ストリームがランダムに再生され、したがって、ランダム再生であるにも関わらず音声ストリームがランダムに選択されないという再生状態の不一致が解消され、利用者に違和感を与えないようにすることができる。
【００７７】
【発明の実施の形態】
以下、本発明の実施の形態について、図面を用いて説明する。
【００７８】
（第１の実施の形態）
第１の実施の形態における映像音声情報再生装置の構成について、図１を用いて説明する。図１において、光ディスク１０１は、映像および音声を含んだ複数のコンテンツとコンテンツを選択するためのメニューとを有した映像音声情報と、映像音声情報の再生の制御に関する再生制御情報とを予め記録したものである。映像出力手段１１２は、映像を出力するものである。音声出力手段１１３は、音声を出力するものである。映像音声情報再生装置１００は、光ディスク１０１に記録された映像音声情報と再生制御情報とを読み取って、映像出力手段１１２に映像信号を供給するとともに音声出力手段１１３に音声信号を供給するようになっており、読取手段１０２と、増幅手段１０３と、信号処理手段１０４と、映像音声情報記憶手段１０５と、復号手段１０６と、サーボ手段１０７と、読取制御手段１０８と、再生制御情報記憶手段１０９と、再生制御手段１１０と、操作手段１１１とを備える。読取手段１０２は、映像音声情報と再生制御情報とを光ディスク１０１から読み取る。増幅手段１０３は、読取手段１０２によって読み出された情報を増幅する。信号処理手段１０４は、増幅手段１０３によって増幅された情報に対し誤り訂正その他の信号処理を行う。映像音声情報記憶手段１０５は、信号処理手段１０４が出力した映像音声情報をいったん蓄える。復号手段１０６は、映像音声情報を復号し、映像出力手段１１２に映像信号を出力するとともに音声出力手段１１３に音声信号を出力する。サーボ手段１０７は、読取手段１０２の位置をフォーカス方向、トラッキング方向および半径方向に制御する。読取制御手段１０８は、読取手段１０２が光ディスク１０１の目的のアドレスに移動するようサーボ手段１０７に指示を与える。再生制御情報記憶手段１０９は、信号処理手段１０４が出力した再生制御情報を記憶する。再生制御手段１１０は、再生制御情報記憶手段１０９に記憶された再生制御情報を参照して読取制御手段１０８に目的のアドレスを指示し、映像音声情報をコンテンツ単位に所定の順序で再生する通常再生と、映像音声情報をコンテンツ単位にランダムな順序で再生するランダム再生と、映像音声情報をそれぞれのコンテンツの先頭部分のみ一定時間ずつ再生するスキャン再生とを制御する。操作手段１１１は、映像音声情報の再生に関した操作を受け付けるようになっており、通常再生の開始を指示する通常再生キーと、ランダム再生の開始を指示するランダム再生キーと、スキャン再生の開始を指示するスキャン再生キーと、コンテンツの映像からメニューの映像への切り換えを指示するメニューキーと、メニューが再生されたとき選択項目を選択する選択キーと、コンテンツが複数の音声ストリームを有していたとき音声の切り換えを指示する音声切換キーとを有する。
【００７９】
また、第１の実施の形態の映像音声情報再生装置１００は、従来の映像音声情報再生装置と異なり、操作手段１１１が、コンテンツの映像からメニューの映像に切り換える操作を受け付けたとき、再生制御手段１１０が、ランダム再生の場合はランダム再生から通常再生に制御を切り換えるとともに、コンテンツの映像からメニューの映像に切り換えるようになっている。また、従来の映像音声情報再生装置と異なり、操作手段１１１が、コンテンツの映像からメニューの映像に切り換える操作を受け付けたとき、再生制御手段１１０が、スキャン再生の場合はスキャン再生から通常再生に制御を切り換えるとともに、コンテンツの映像からメニューの映像に切り換えるようになっている。
【００８０】
次に、第１の実施の形態における映像音声情報再生装置１００の動作について説明する。
【００８１】
図１において、読取手段１０２は、映像音声情報と再生制御情報とを光ディスク１０１から読み取る。増幅手段１０３は、読取手段１０２によって読み出された情報を増幅する。さらに、増幅手段１０３は、読取手段１０２によって読み出された情報の状態に基づいて読取手段１０２のフォーカス位置およびトラッキング位置を調整するようサーボ手段１０７に指示を与える。信号処理手段１０４は、増幅手段１０３によって増幅された情報に対し誤り訂正その他の信号処理を行う。再生制御情報記憶手段１０９は、信号処理手段１０４が出力した再生制御情報を記憶する。再生制御手段１１０は、再生制御情報記憶手段１０９に記憶された再生制御情報を参照して読取制御手段１０８に目的のアドレスを指示する。読取制御手段１０８は、読取手段１０２が光ディスク１０１の目的のアドレスに移動するようサーボ手段１０７に指示を与える。サーボ手段１０７は、増幅手段１０３からの指示に従って読取手段１０２の位置をフォーカス方向およびトラッキング方向に制御するとともに、読取制御手段１０８の指示に従って読取手段１０２の位置を半径方向に制御する。映像音声情報記憶手段１０５は、信号処理手段１０４が出力した映像音声情報をいったん蓄える。復号手段１０６は、映像音声情報を復号し、映像出力手段１１２に映像信号を出力するとともに音声出力手段１１３に音声信号を出力する。
【００８２】
以下、再生制御手段１１０が行う再生制御処理について、特に図１１から図１４までを用い、詳細に説明する。図１１は、再生制御処理を示すフローチャートである。図１２は、再生制御処理におけるキー入力イベント処理（図１１の１１０３）の詳細を示すフローチャートである。図１３は、再生制御処理におけるランダム選曲処理（図１１の１１０６）の詳細を示すフローチャートである。図１４は、再生制御処理におけるスキャン選曲処理（図１１の１１０８）の詳細を示すフローチャートである。
【００８３】
まず、図５のＤＶＤビデオフォーマットで記録された映像音声情報を再生する場合について説明する。
【００８４】
図１１において、まず、再生制御情報を取得する（１１０１）。ここで、図５のプリコマンド５３１と、セルコマンド５３２と、ポストコマンド５３３とが、図１の再生制御情報記憶手段１０９に記憶される。また、図７のナビゲーションパック７１４に格納されていた、ハイライト情報、検索禁止指示および映像静止指示等の再生制御情報が図１の再生制御情報記憶手段１０９に記憶される。
【００８５】
次に、イベントの発生を待つ（１１０２）。
【００８６】
利用者が図１の操作手段１１１においてランダム再生に制御を切り換えるランダム再生キーを押した場合、操作手段１１１からランダム再生キーの押下が通知され、キーの種別に対応した処理を実行する（１１０３）。図１２において、ランダム再生キーに対応した処理に分岐し（１２０１）、ランダム再生をオンの状態にし（１２１１）、スキャン再生をオフの状態にする（１２１２）。
【００８７】
また、利用者が図１の操作手段１１１においてスキャン再生に制御を切り換えるスキャン再生キーを押した場合、操作手段１１１からスキャン再生キーの押下が通知され、キーの種別に対応した処理を実行する（１１０３）。図１２において、スキャン再生キーに対応した処理に分岐し、スキャン再生をオンの状態にし（１２２１）、ランダム再生をオフの状態にする（１２２２）。
【００８８】
また、利用者が図１の操作手段１１１において通常再生に制御を切り換える通常再生キーを押した場合、操作手段１１１から通常再生キーの押下が通知され、キーの種別に対応した処理を実行する（１１０３）。図１２において、通常再生キーに対応した処理に分岐し、ランダム再生をオフの状態にし（１２３１）、スキャン再生をオフの状態にする（１２３２）。
【００８９】
また、プログラムチェーン先頭のセル５１１の再生を開始する直前にプログラムチェーン先頭イベントが発生し、プリコマンド５３１に従った処理を実行する（１１１１）。
【００９０】
また、図５の第１のセル再生情報５２１、第２のセル再生情報５２２および第３のセル再生情報５２３に基づいて、第１のセル５１１、第２のセル５１２、第３のセル５１３の順にそれぞれ映像音声情報の再生が行われ、目標セルに到達した時点で、目標セル到達イベントが発生する。目標セル到達イベントが発生したとき、映像音声情報の再生を停止し、セルコマンド５３２に従った処理を実行し、映像音声情報の再生を再開する（１１２１）。
【００９１】
また、図５の第４のセル再生情報５２４、第５のセル再生情報５２５および第６のセル再生情報５２６に基づいて、第４のセル５１４、第５のセル５１５、第６のセル５１６の順にそれぞれ映像音声情報の再生が行われ、第６のセル５１６の再生が終了した時点で、プログラムチェーン終了イベントが発生する。プログラムチェーン終了イベントが発生したとき、ポストコマンドに従った処理を実行し（１１３１）、図５のリンク関係情報５４０を参照して次のプログラムチェーンを特定し、次のプログラムチェーンに関する情報を取得する（１１３２）。
【００９２】
また、利用者が図１の操作手段１１１のメニューキーによって、本編であるコンテンツの映像からメニューの映像に切り換える操作を行った場合、図１の操作手段１１１からメニューキーの操作が通知されて、キーの種別に対応した処理を実行する（１１０３）。図１２において、メニューキーに対応した処理に分岐し、ランダム再生の場合はランダム再生から通常再生に制御を切り換え（１２５０）、本編であるコンテンツの映像からメニューの映像に切り換える（１２５１）。また、スキャン再生の場合はスキャン再生から通常再生に制御を切り換え（１２５０）、本編であるコンテンツの映像からメニューの映像に切り換える（１２５１）。
【００９３】
また、利用者が図１の操作手段１１１の選択キーによってメニュー上の選択項目を選択した場合、図１の操作手段１１１から選択キーの操作が通知されて、キーの種別に対応した処理を実行する（１１０３）。図１２において、選択キーに対応した処理に分岐し、ハイライト情報があるか否か判定し（１２４１）、ハイライト情報があった場合、ハイライト情報のハイライトコマンドに従った処理を実行する（１２４２）。
【００９４】
また、利用者が図１の操作手段１１１の音声切換キーによって、同一コンテンツ内の複数の音声ストリームのうち再生する音声ストリームを切り換える操作を行った場合、図１の操作手段１１１から音声切換キーの操作が通知されて、キーの種別に対応した処理を実行する（１１０３）。図１２において、音声切換キーに対応した処理に分岐し、再生する音声ストリームを切り換える（１２６１）。
【００９５】
また、曲の再生が終了した時点で、１曲毎に曲終了イベントが発生し、ランダム再生であるか否かを判定する（１１０５）。ランダム再生である場合、次の曲をランダムに選曲する（１１０６）。詳細には、図１３において、乱数を発生し（１３０１）、光ディスクの範囲内であるか否かを判定し（１３０２）、ランダムに選曲した曲の先頭に目的アドレスを変更する（１３０３）。
【００９６】
また、所定の単位時間（例えば１秒）が経過する毎に単位時間経過イベントが発生し、スキャン再生であるか否かを判定する（１１０７）。スキャン再生である場合、次の曲をスキャンして選曲する（１１０８）。詳細には、図１４において、曲の再生開始から予め決められた一定時間（例えば１０秒）が経過したか否か判定し（１４０１）、一定時間経過した場合、スキャンして新たに選曲した曲の先頭に目的アドレスを変更する（１４０２）。
【００９７】
次に、図８のＤＶＤオーディオフォーマットで記録された情報を再生する場合について説明する。なお、ＤＶＤビデオフォーマットで記録された情報を再生する場合と同じステップについては、詳細な説明を省略する。
【００９８】
ＤＶＤオーディオフォーマットの場合、図１１の情報取得のステップ（１１０１、１１０４および１１３２）において、図８のリターンメニューフラグ８３０が図１の再生制御情報記憶手段１０９に格納される。なお、ＤＶＤビデオフォーマットと異なり、プログラムチェーンにプリコマンド、セルコマンドおよびポストコマンドは存在しない。したがって、プログラム先頭イベントは何も行わない。また、目標セル到達イベントは発生しない。また、プログラムチェーン終了イベントが発生してもポストコマンドの処理は行わず、代わりに、リターンメニューフラグに従った処理を行う。
【００９９】
プログラムチェーン終了イベントが発生したとき、図８のリターンメニューフラグ８３０を参照してリターンメニューフラグがセットされている場合には、戻りのメニューを再生し（１１３１）、次のプログラムチェーンに関する情報を取得する（１１３２）。
【０１００】
以上、説明したように、第１の実施の形態の映像音声情報再生装置１００は、操作手段１１１が、コンテンツの映像からメニューの映像に切り換える操作を受け付けたとき、再生制御手段１１０が、ランダム再生の場合はランダム再生から通常再生に制御を切り換えるとともに、コンテンツの映像からメニューの映像に切り換えるようになっているので、コンテンツの映像からメニューの映像に切り換わったときに曲の再生が停止するような場合であっても、ランダム再生が解除されて再生状態の不一致が解消され、したがって利用者に違和感を与えないようにすることができる。また、操作手段１１１が、コンテンツの映像からメニューの映像に切り換える操作を受け付けたとき、再生制御手段１１０が、スキャン再生の場合はスキャン再生から通常再生に制御を切り換えるとともに、コンテンツの映像からメニューの映像に切り換えるようになっているので、コンテンツの映像からメニューの映像に切り換わったときに曲の再生が停止するような場合であっても、スキャン再生が解除されて再生状態の不一致が解消され、したがって利用者に違和感を与えないようにすることができる。
【０１０１】
なお、メニューの映像に切り換える操作を受け付けたときの再生制御について説明したが、光ディスクに記録された再生制御情報を取得したときについても、再生状態を一致させるように再生制御を行うと好ましい。具体的には、再生制御手段１１０が、映像音声情報の再生順序を制御する命令を実行したとき、ランダム再生の場合はランダム再生から通常再生に制御を切り換える。また、再生制御手段１１０が、映像音声情報の再生順序を制御する命令を実行したとき、スキャン再生の場合はスキャン再生から通常再生に制御を切り換える。より具体的には、図５のプリコマンド５３１、セルコマンド５３２、ポストコマンド５３３、図７のハイライトコマンド７４１ないし７４５、図８のリターンメニューフラグ８３０、および、図１０のハイライトコマンド１０４１ないし１０４５のいずれかを実行したとき、通常再生に制御を切り換えるようにする。
【０１０２】
（第２の実施の形態）
第２の実施の形態における映像音声情報再生装置の構成について、図１を用いて説明する。第２の実施の形態の映像音声情報再生装置１００は、第１の実施の形態と異なり、操作手段１１１が、コンテンツの映像からメニューの映像に切り換える操作を受け付けたとき、再生制御手段１１０が、通常再生の場合はコンテンツの映像からメニューの映像に切り換え、ランダム再生の場合はコンテンツの映像の再生を維持するようになっている。また、第１の実施の形態と異なり、操作手段１１１が、コンテンツの映像からメニューの映像に切り換える操作を受け付けたとき、再生制御手段１１０が、通常再生の場合はコンテンツの映像からメニューの映像に切り換え、スキャン再生の場合はコンテンツの映像の再生を維持するようになっている。その他の構成要件については、第１の実施の形態と同じであり、詳細な説明を省略する。
【０１０３】
次に、再生制御手段１１０が行う再生制御処理について説明する。図１１において、キー入力イベント処理１１０３のステップ以外は、第１の実施の形態におけるステップと処理が同じであり、詳細な説明を省略する。図１５は、第２の実施の形態におけるキー入力イベント処理１１０３を示すフローチャートである。なお、図１５において、図１２に示した第１の実施の形態におけるステップと同じステップは同じ符号としてあり、詳細な説明を省略する。
【０１０４】
利用者が図１の操作手段１１１のメニューキーによって本編であるコンテンツの映像からメニューの映像に切り換える操作を行った場合、図１５において、メニューキーに対応した処理に分岐する（１２０１）。通常再生であるか否かを判定し、ランダム再生の場合またはスキャン再生の場合はコンテンツの映像の再生を維持する（１５５０）。一方、通常再生の場合はコンテンツの映像からメニューの映像に切り換える（１２５１）。
【０１０５】
以上、説明したように、第２の実施の形態の映像音声情報再生装置１００は、操作手段１１１が、コンテンツの映像からメニューの映像に切り換える操作を受け付けたとき、再生制御手段１１０が、通常再生の場合はコンテンツの映像からメニューの映像に切り換え、ランダム再生の場合はコンテンツの映像の再生を維持するようになっているので、ランダム再生中にコンテンツの映像からメニューの映像に切り換わることがなく、したがって再生状態の不一致が解消され、利用者に違和感を与えないようにすることができる。また、操作手段１１１が、コンテンツの映像からメニューの映像に切り換える操作を受け付けたとき、再生制御手段１１０が、通常再生の場合はコンテンツの映像からメニューの映像に切り換え、スキャン再生の場合はコンテンツの映像の再生を維持するようになっているので、スキャン再生中にコンテンツの映像からメニューの映像に切り換わることがなく、したがって再生状態の不一致が解消され、利用者に違和感を与えないようにすることができる。
【０１０６】
なお、メニューの映像に切り換える操作を受け付けたときの再生制御について説明したが、光ディスクに記録された再生制御情報を取得したときについても、再生状態を一致させるように再生制御を行うと好ましい。具体的には、再生制御手段１１０が、通常再生の場合は映像音声情報の再生順序を制御する命令を実行し、ランダム再生の場合は映像音声情報の再生順序を制御する命令を無効とする。また、再生制御手段１１０が、通常再生の場合は映像音声情報の再生順序を制御する命令を実行し、スキャン再生の場合は映像音声情報の再生順序を制御する命令を無効とする。より具体的には、図５のプリコマンド５３１、セルコマンド５３２、ポストコマンド５３３、図７のハイライトコマンド７４１ないし７４５、図８のリターンメニューフラグ８３０、および、図１０のハイライトコマンド１０４１ないし１０４５を、ランダム再生の場合およびスキャン再生の場合は無効とする。
【０１０７】
（第３の実施の形態）
第３の実施の形態における映像音声情報再生装置の構成について、図１を用いて説明する。第３の実施の形態の映像音声情報再生装置１００は、第１の実施の形態と異なり、操作手段１１１が、通常再生からランダム再生に切り換える操作を受け付けたとき、再生制御手段１１０が、コンテンツの映像を再生中は通常再生からランダム再生に制御を切り換え、メニューの映像を再生中は通常再生を維持するようになっている。また、第１の実施の形態と異なり、操作手段１１１が、通常再生からスキャン再生に切り換える操作を受け付けたとき、再生制御手段１１０が、コンテンツの映像を再生中は通常再生からスキャン再生に制御を切り換え、メニューの映像を再生中は通常再生を維持するようになっている。その他の構成要件については、第１の実施の形態と同じであり、詳細な説明を省略する。
【０１０８】
次に、再生制御手段１１０が行う再生制御処理について説明する。図１１において、キー入力イベント処理１１０３のステップ以外は、第１の実施の形態におけるステップと処理が同じであり、詳細な説明を省略する。図１６は、第３の実施におけるキー入力イベント処理１１０３を示すフローチャートである。なお、図１６において、図１２に示した第１の実施の形態におけるステップと同じステップは、同じ符号としてあり、詳細な説明を省略する。
【０１０９】
利用者が図１の操作手段１１１のランダム再生キーによって通常再生からランダム再生に切り換える操作を行った場合、図１６において、ランダム再生キーに対応した処理に分岐する（１２０１）。メニュー再生中であるか否かを判定し（１６１０）、メニュー再生中でない場合、すなわちコンテンツの映像を再生中は、ランダム再生をオンにして（１２１１）、スキャン再生をオフにする（１２１２）。一方、メニュー再生中は、ランダム再生に切り換えるステップ（１２１１、１２１２）をスキップして通常再生を維持する（１６１０）。
【０１１０】
また、利用者が図１の操作手段１１１のスキャン再生キーによって通常再生からスキャン再生に切り換える操作を行った場合、図１６において、スキャン再生キーに対応した処理に分岐する（１２０１）。メニュー再生中であるか否かを判定し（１６２０）、メニュー再生中でない場合、すなわちコンテンツの映像を再生中は、スキャン再生をオンにして（１２２１）、ランダム再生をオフにする（１２２２）。一方、メニュー再生中は、スキャン再生に切り換えるステップ（１２２１、１２２２）をスキップして通常再生を維持する（１６２０）。
【０１１１】
以上、説明したように、第３の実施の形態の映像音声情報再生装置１００は、操作手段１１１が、通常再生からランダム再生に切り換える操作を受け付けたとき、再生制御手段１１０が、コンテンツの映像を再生中は通常再生からランダム再生に制御を切り換え、メニューの映像を再生中は通常再生を維持するようになっているので、メニュー再生中に通常再生からランダム再生に制御が切り換わることがなく、したがって再生状態の不一致が解消され、利用者に違和感を与えないようにすることができる。また、操作手段１１１が、通常再生からスキャン再生に切り換える操作を受け付けたとき、再生制御手段１１０が、コンテンツの映像を再生中は通常再生からスキャン再生に制御を切り換え、メニューの映像を再生中は通常再生を維持するようになっているので、メニュー再生中に通常再生からスキャン再生に制御が切り換わることがなく、したがって再生状態の不一致が解消され、利用者に違和感を与えないようにすることができる。
【０１１２】
（第４の実施の形態）
第４の実施の形態における映像音声情報再生装置の構成について、図１を用いて説明する。第４の実施の形態の映像音声情報再生装置１００は、第１の実施の形態と異なり、操作手段１１１が、通常再生からランダム再生に切り換える操作を受け付けたとき、再生制御手段１１０が、映像音声情報の検索禁止指示の有無を確認し、検索禁止指示が有るとき通常再生を維持し、検索禁止指示が無いとき通常再生からランダム再生に制御を切り換えるようになっている。さらに、再生制御手段１１０が、映像音声情報の検索禁止指示の有無を確認し、検索禁止指示が有るときランダム再生の場合はランダム再生から通常再生に制御を切り換えるようになっている。また、第４の実施の形態の映像音声情報再生装置１００は、第１の実施の形態と異なり、操作手段１１１が、通常再生からスキャン再生に切り換える操作を受け付けたとき、再生制御手段１１０が、映像音声情報の検索禁止指示の有無を確認し、検索禁止指示が有るとき通常再生を維持し、検索禁止指示が無いとき通常再生からスキャン再生に制御を切り換えるようになっている。さらに、再生制御手段１１０が、映像音声情報の検索禁止指示の有無を確認し、検索禁止指示が有るときスキャン再生の場合はスキャン再生から通常再生に制御を切り換えるようになっている。その他の構成要件については、第１の実施の形態と同じであり、詳細な説明を省略する。
【０１１３】
次に、再生制御手段１１０が行う再生制御処理について説明する。図１１において、キー入力イベント処理１１０３のステップ以外は、第１の実施の形態におけるステップと処理が同じであり、詳細な説明を省略する。図１７は、第４の実施の形態におけるキー入力イベント処理１１０３を示すフローチャートである。なお、図１７において、図１２に示した第１の実施の形態におけるステップと同じステップは、同じ符号としてあり、詳細な説明を省略する。また、図１８は、第４の実施の形態におけるランダム選曲処理１１０６を示すフローチャートである。なお、図１８において、図１３に示した第１の実施の形態におけるステップと同じステップは、同じ符号としてある。
【０１１４】
利用者が図１の操作手段１１１のランダム再生キーによって通常再生からランダム再生に切り換える操作を行った場合、図１７において、ランダム再生キーに対応した処理に分岐する（１２０１）。検索禁止指示の有無を確認し、検索禁止指示が有るとき、ランダム再生に切り換えるステップ（１２１１、１２１２）をスキップして通常再生を維持する（１７１０）。一方、検索禁止指示が無いときランダム再生をオンにして（１２１１）、スキャン再生をオフにする（１２１２）。
【０１１５】
また、利用者が図１の操作手段１１１のスキャン再生キーによって通常再生からスキャン再生に切り換える操作を行った場合、図１７において、スキャン再生キーに対応した処理に分岐する（１２０１）。検索禁止指示の有無を確認し、検索禁止指示が有るとき、スキャン再生に切り換えるステップ（１２２１、１２２２）をスキップして通常再生を維持する（１７２０）。一方、検索禁止指示が無いときスキャン再生をオンにして（１２２１）、ランダム再生をオフにする（１２２２）。
【０１１６】
また、曲の再生が終了したとき、ランダム再生である場合、図１８において、検索禁止指示の有無を確認し（１８００）、検索禁止指示が無いとき、乱数を発生し（１３０１）、光ディスクに記録された総曲数の範囲内であるか否かを判定し（１３０２）、総曲数の範囲内であれば、ランダムに選曲した曲の先頭に目的アドレスを変更する（１３０３）。一方、検索禁止指示が有るとき、ランダム再生から通常再生に制御を切り換える（１８０１）。
【０１１７】
また、所定の単位時間（例えば１秒）が経過する毎に、スキャン再生である場合、検索禁止指示の有無を確認し、検索禁止指示が無いとき、予め決められた一定時間（例えば１０秒）が経過したか否か判定し、曲の再生開始から一定時間経過した場合、スキャンして選曲した曲の先頭に目的アドレスを変更する。一方、検索禁止指示が有るとき、スキャン再生から通常再生に制御を切り換える。
【０１１８】
以上、説明したように、第４の実施の形態の映像音声情報再生装置１００は、操作手段１１１が、通常再生からランダム再生に切り換える操作を受け付けたとき、再生制御手段１１０が、映像音声情報の検索禁止指示の有無を確認し、検索禁止指示が有るとき通常再生を維持し、検索禁止指示が無いとき通常再生からランダム再生に制御を切り換えるようになっているので、検索禁止指示が有るときランダム再生に切り換わることがなく、したがって、シーケンシャルに連続して再生することしかできない映像音声情報においてランダム再生に切り換わってしまうという再生状態の不一致が解消され、利用者に違和感を与えないようにすることができる。さらに、再生制御手段１１０が、映像音声情報の検索禁止指示の有無を確認し、検索禁止指示が有るときランダム再生の場合はランダム再生から通常再生に制御を切り換えるようになっているので、検索禁止指示が有るとき、シーケンシャルに連続して再生することしかできない映像音声情報においてランダム再生の状態が継続されるという再生状態の不一致が解消され、利用者に違和感を与えないようにすることができる。
【０１１９】
また、第４の実施の形態の映像音声情報再生装置１００は、操作手段１１１が、通常再生からスキャン再生に切り換える操作を受け付けたとき、再生制御手段１１０が、映像音声情報の検索禁止指示の有無を確認し、検索禁止指示が有るとき通常再生を維持し、検索禁止指示が無いとき通常再生からスキャン再生に制御を切り換えるようになっているので、検索禁止指示が有るときスキャン再生に切り換わることがなく、したがって、シーケンシャルに連続して再生することしかできない映像音声情報においてスキャン再生に切り換わってしまうという再生状態の不一致が解消され、利用者に違和感を与えないようにすることができる。さらに、再生制御手段１１０が、映像音声情報の検索禁止指示の有無を確認し、検索禁止指示が有るときスキャン再生の場合はスキャン再生から通常再生に制御を切り換えるようになっているので、検索禁止指示が有るとき、シーケンシャルに連続して再生することしかできない映像音声情報においてスキャン再生の状態が継続されるという再生状態の不一致が解消され、利用者に違和感を与えないようにすることができる。
【０１２０】
（第５の実施の形態）
第５の実施の形態における映像音声情報再生装置の構成を、図１を用いて説明する。第５の実施の形態の映像音声情報再生装置１００は、第１の実施の形態と異なり、再生制御手段１１０が、映像音声情報の映像静止指示の有無を確認し、映像静止指示が有るときランダム再生から通常再生に制御を切り換えるとともにコンテンツの映像を所定時間静止させるようになっている。また、第１の実施の形態と異なり、再生制御手段１１０が、映像音声情報の映像静止指示の有無を確認し、映像静止指示が有るときスキャン再生から通常再生に制御を切り換えるとともにコンテンツの映像を所定時間静止させるようになっている。その他の構成要件については、第１の実施の形態と同じであり、詳細な説明を省略する。
【０１２１】
次に、再生制御手段１１０が行う再生制御処理について説明する。なお、図１９において、図１１に示した第１の実施の形態におけるステップと同じステップは、同じ符号としてあり、詳細な説明を省略する。イベント待ちの状態（１１０２）で、映像の静止を指示する映像静止指示が格納されたセルの場合、映像静止イベントが発生する。映像静止イベントが発生したとき、ランダム再生の場合はランダム再生から通常再生に制御を切り換え（１９４０）、映像を所定時間静止する（１１４１）。また、映像静止イベントが発生したとき、スキャン再生の場合はスキャン再生から通常再生に制御を切り換え（１９４０）、映像を所定時間静止する（１１４１）。
【０１２２】
以上、説明したように、第５の実施の形態の映像音声情報再生装置１００は、再生制御手段１１０が、映像音声情報の映像静止指示の有無を確認し、映像静止指示が有るときランダム再生から通常再生に制御を切り換えるとともにコンテンツの映像を所定時間静止させるようになっているので、映像が静止されるときランダム再生が解除され、したがって、映像が静止したままランダム再生が行われないという再生状態の不一致が解消され、利用者に違和感を与えないようにすることができる。また、再生制御手段１１０が、映像音声情報の映像静止指示の有無を確認し、映像静止指示が有るときスキャン再生から通常再生に制御を切り換えるとともにコンテンツの映像を所定時間静止させるようになっているので、映像が静止されるときスキャン再生が解除され、したがって、映像が静止したままスキャン再生が行われないという再生状態の不一致が解消され、利用者に違和感を与えないようにすることができる。
【０１２３】
（第６の実施の形態）
第６の実施の形態における映像音声情報再生装置の構成について、図１を用いて説明する。第６の実施の形態の映像音声情報再生装置１００は、第２の実施の形態と異なり、再生制御手段１１０が、映像音声情報の映像静止指示の有無を確認し、映像静止指示が有るとき、通常再生の場合はコンテンツの映像を所定時間静止し、ランダム再生の場合は映像静止指示を無効にするようになっている。また、第２の実施の形態と異なり、再生制御手段１１０が、映像音声情報の映像静止指示の有無を確認し、映像静止指示が有るとき、通常再生の場合はコンテンツの映像を所定時間静止し、スキャン再生の場合は映像静止指示を無効にするようになっている。その他の構成要件については、第２の実施の形態と同じであり、詳細な説明を省略する。
【０１２４】
次に、再生制御手段１１０が行う再生制御処理について説明する。なお、図２０において、図１１に示したステップと同じステップは、同じ符号としてあり、詳細な説明を省略する。イベント待ち（１１０２）の状態で、映像の静止を指示する映像静止指示が格納されたセルの場合、映像静止イベントが発生する。映像静止イベントが発生したとき、通常再生であるか否かを判定する。通常再生の場合は、映像を所定時間静止する（１１４１）。一方、ランダム再生の場合は映像を所定時間静止するステップ（１１４１）をスキップして映像静止指示を無効にする（２０４０）。また、スキャン再生の場合は映像を所定時間静止するステップ（１１４１）をスキップして映像静止指示を無効にする（２０４０）。
【０１２５】
なお、映像静止指示を無効とする際、映像の静止を全く行わないようにしてもよいが、一定時間経過後に映像静止を解除するようにしてもよい。このように一定時間経過後に映像静止を解除する場合、映像を静止する時間は、映像静止指示によって指示された所定の時間ではなく、予め決められた一定時間（例えば１秒）とする。
【０１２６】
以上、説明したように、第６の実施の形態の映像音声情報再生装置１００は、再生制御手段１１０が、映像音声情報の映像静止指示の有無を確認し、映像静止指示が有るとき、通常再生の場合はコンテンツの映像を所定時間静止し、ランダム再生の場合、映像静止指示を無効にするようになっているので、映像が静止したままランダム再生が行われないという再生状態の不一致が解消され、利用者に違和感を与えないようにすることができる。また、再生制御手段１１０が、映像音声情報の映像静止指示の有無を確認し、映像静止指示が有るとき、通常再生の場合はコンテンツの映像を所定時間静止し、スキャン再生の場合、映像静止指示を無効にするようになっているので、映像が静止したままスキャン再生が行われないという再生状態の不一致が解消され、利用者に違和感を与えないようにすることができる。
【０１２７】
（第７の実施の形態）
第７の実施の形態における映像音声情報再生装置の構成について、図１を用いて説明する。第７の実施の形態の映像音声情報再生装置１００は、第１の実施の形態と異なり、映像音声情報が、ひとつの映像ストリームに対して切換可能な複数の音声ストリームを有していたとき、再生制御手段１１０が、ランダム再生の場合は複数の音声ストリームの中からひとつをランダムに選択するようになっている。また、第１の実施の形態と異なり、映像音声情報が、ひとつの映像ストリームに対して切換可能な複数の音声ストリームを有していたとき、再生制御手段１１０が、スキャン再生の場合は複数の音声ストリームの中からひとつずつを順次に選択するようになっている。その他の構成要件については、第１の実施の形態と同じであり、詳細な説明を省略する。
【０１２８】
複数の音声ストリームは、図７のオーディオパック７１３に格納される。具体的には、オーディオパック７１３が複数のオーディオパックに分割され、分割されたそれぞれのオーディオパックにそれぞれの音声ストリームが格納されるようになっている。これら複数の音声ストリームは、図１の復号手段１０６に転送され、再生制御手段１１０からの指示によって、複数の音声ストリームの中からひとつの音声ストリームが再生されるようになっている。
【０１２９】
次に、再生制御手段１１０が行う再生制御処理について説明する。図１１において、ランダム選曲処理１１０６のステップ以外は、第１の実施の形態におけるステップと処理が同じであり、詳細な説明を省略する。図２１は、第７の実施の形態におけるランダム選曲処理１１０６を示すフローチャートである。図２１において、図１３に示した第１の実施の形態におけるステップと同じステップは同じ符号としてある。
【０１３０】
曲の再生が終了したとき、ランダム再生である場合、図２１において、乱数を発生し（１３０１）、光ディスクに記録された総曲数の範囲内であるか否かを判定し（１３０２）、総曲数の範囲内であれば、選曲された映像音声情報が有する音声ストリームの数を確認する（２１００）。ここで、映像音声情報がひとつの映像ストリームに対して複数の音声ストリームを有していたとき、複数の音声ストリームの中からひとつをランダムに選択するため、さらに乱数を発生し（２１０１）、音声ストリームの総数の範囲内であるか否かを判定し（２１０２）、音声ストリームの総数の範囲内であれば、ランダムに選曲した曲の先頭に目的アドレスを変更するとともにランダムに選択したひとつの音声ストリームが復号されるよう制御する（１３０３）。
【０１３１】
また、所定の単位時間（例えば１秒）が経過する毎に、スキャン再生である場合、図１４において、曲の再生開始から予め決められた一定時間（例えば１０秒）が経過したか否か判定し（１４０１）、一定時間経過した場合、前回再生した曲と異なる曲をスキャンして選択するとともに前回再生した音声ストリームと異なる音声ストリームをスキャンして選択し、新たに選曲した曲の先頭に目的アドレスを変更するとともに前回再生した音声ストリームと異なる音声ストリームが順次再生されるよう制御する（１４０２）。
【０１３２】
以上、説明したように、第７の実施の形態の映像音声情報再生装置１００は、映像音声情報が、ひとつの映像ストリームに対して複数の音声ストリームを有していたとき、再生制御手段１１０が、ランダム再生の場合は複数の音声ストリームの中からひとつをランダムに選択するようになっているので、映像音声情報がひとつの映像ストリームに対して複数の音声ストリームを有している場合であっても音声ストリームがランダムに再生され、したがって、ランダム再生であるにも関わらず音声ストリームがランダム再生されないという再生状態の不一致が解消され、利用者に違和感を与えないようにすることができる。
【０１３３】
また、第７の実施の形態の映像音声情報再生装置１００は、映像音声情報が、ひとつの映像ストリームに対して複数の音声ストリームを有していたとき、再生制御手段１１０が、スキャン再生の場合は複数の音声ストリームの中からひとつずつ順次に選択するようになっているので、映像音声情報がひとつの映像ストリームに対して複数の音声ストリームを有している場合であっても音声ストリームがスキャン再生され、したがって、スキャン再生であるにも関わらず音声ストリームがスキャン再生されないという再生状態の不一致が解消され、利用者に違和感を与えないようにすることができる。
【０１３４】
【発明の効果】
本発明は、再生状態の不一致を解消し、利用者に違和感を与えることなくランダム再生をすることができるという優れた効果を有する映像音声情報再生装置および映像音声情報再生方法を提供する。
【図面の簡単な説明】
【図１】本発明に係る映像音声情報再生装置の実施の形態におけるブロック図
【図２】本発明に係る映像音声情報再生装置の実施の形態における通常再生の例を示す説明図
【図３】本発明に係る映像音声情報再生装置の実施の形態におけるランダム再生の例を示す説明図
【図４】本発明に係る映像音声情報再生装置の実施の形態におけるスキャン再生の例を示す説明図
【図５】本発明に係る映像音声情報再生装置の実施の形態におけるＤＶＤビデオフォーマットの映像音声情報の例を示す説明図
【図６】本発明に係る映像音声情報再生装置の実施の形態におけるＤＶＤビデオフォーマットの再生制御情報の格納例を示す説明図
【図７】本発明に係る映像音声情報再生装置の実施の形態におけるＤＶＤビデオフォーマットのセルの例を示す説明図
【図８】本発明に係る映像音声情報再生装置の実施の形態におけるＤＶＤオーディオフォーマットの映像音声情報の例を示す説明図
【図９】本発明に係る映像音声情報再生装置の実施の形態におけるＤＶＤオーディオフォーマットの再生制御情報の格納例を示す説明図
【図１０】本発明に係る映像音声情報再生装置の実施の形態におけるＤＶＤオーディオフォーマットのセルの例を示す説明図
【図１１】本発明に係る映像音声情報再生装置の第１の実施の形態における再生制御処理を示すフローチャート
【図１２】本発明に係る映像音声情報再生装置の第１の実施の形態におけるキー入力イベント処理を示すフローチャート
【図１３】本発明に係る映像音声情報再生装置の第１の実施の形態におけるランダム選曲処理を示すフローチャート
【図１４】本発明に係る映像音声情報再生装置の第１の実施の形態におけるスキャン選曲処理を示すフローチャート
【図１５】本発明に係る映像音声情報再生装置の第２の実施の形態におけるキー入力イベント処理を示すフローチャート
【図１６】本発明に係る映像音声情報再生装置の第３の実施の形態におけるキー入力イベント処理を示すフローチャート
【図１７】本発明に係る映像音声情報再生装置の第４の実施の形態におけるキー入力イベント処理を示すフローチャート
【図１８】本発明に係る映像音声情報再生装置の第４の実施の形態におけるランダム選曲処理を示すフローチャート
【図１９】本発明に係る映像音声情報再生装置の第５の実施の形態における再生制御処理を示すフローチャート
【図２０】本発明に係る映像音声情報再生装置の第６の実施の形態における再生制御処理を示すフローチャート
【図２１】本発明に係る映像音声情報再生装置の第７の実施の形態におけるランダム選曲処理を示すフローチャート
【図２２】従来の映像音声情報再生装置のブロック図
【図２３】従来の映像音声情報再生装置の再生制御処理を示すフローチャート
【図２４】従来の映像音声情報再生装置のキー入力イベント処理を示すフローチャート
【符号の説明】
１０１  光ディスク（媒体）
１０２  読取手段
１０３  増幅手段
１０４  信号処理手段
１０５  映像音声情報記憶手段
１０６  復号手段
１０７  サーボ手段
１０８  読取制御手段
１０９  再生制御情報記憶手段
１１０  再生制御手段
１１１  操作手段
１１２  映像出力手段
１１３  音声出力手段
【図１】
0003913544.tif 000002
【図２】
0003913544.tif 000003
【図３】
0003913544.tif 000004
【図４】
0003913544.tif 000005
【図５】
0003913544.tif 000006
【図６】
0003913544.tif 000007
【図７】
0003913544.tif 000008
【図８】
0003913544.tif 000009
【図９】
0003913544.tif 000010
【図１０】
0003913544.tif 000011
【図１１】
0003913544.tif 000012
【図１２】
0003913544.tif 000013
【図１３】
0003913544.tif 000014
【図１４】
0003913544.tif 000015
【図１５】
0003913544.tif 000016
【図１６】
0003913544.tif 000017
【図１７】
0003913544.tif 000018
【図１８】
0003913544.tif 000019
【図１９】
0003913544.tif 000020
【図２０】
0003913544.tif 000021
【図２１】
0003913544.tif 000022
【図２２】
0003913544.tif 000023
【図２３】
0003913544.tif 000024
【図２４】
0003913544.tif 000025